(57)【要約】本発明は、複数のリード（１１，１２）が備えられたコネクタであって、該複数のリードは、前記コネクタの嵌合端（Ｍ）と接触端（Ｃ）との間で伸びており、遠位部（２０，５０，６２）は、少なくとも１つの接触要素（２３，２４，４０，５１，６０）によって少なくとも１つの前記リードに接触しているコネクタに関する。少なくとも１つの前記リード（１１，１２）には、前記遠位部（２０，５０，６２）の前記接触要素（２３，２４，４０，５１，６０）を保持するための少なくとも１つの開口部（１５，１７）が形成されている。好ましくは、開口部（１５）は、前記少なくとも１つのリード（１１，１２）内に形成されているのがよい。そのような開口部は、異なるインピーダンスにおける接触要素の影響を減少する。
2008513936.tif 000002
【特許請求の範囲】
【請求項１】
コネクタの嵌合端（Ｍ）と接触端（Ｃ）との間で伸びている複数のリード（１１，１２）と、
少なくとも１つの接触要素（２３，２４，４０，５１，６０）によって少なくとも１つの前記リードに接触している遠位部（２０，５０，６２）と、
を備えているコネクタ（１０）において、
少なくとも１つの前記リード（１１，１２）が、前記遠位部（２０，５０，６２）の前記接触要素（２３，２４，４０，５１，６０）を保持するための少なくとも１つの開口部（１５，１７）の一部を形成していることを特徴とするコネクタ。
【請求項２】
前記開口部（１５）は、前記少なくとも１つのリード（１１，１２）内に形成されていることを特徴とする、請求項１に記載のコネクタ。
【請求項３】
前記遠位部は、シールド板（２０）であり、
該シールド板は、先端部（２５）と中間部（２６）とを備えた少なくとも１つの接触要素（２３，２４）が含まれており、
前記中間部は、前記シールド板（２０）と前記先端部（２５）との間で伸びており、
前記先端部が、接地リード（１２）の一部に係合するための変形可能構造（２７）を備えていることを特徴とする、請求項１または２に記載のコネクタ。
【請求項４】
前記変形可能構造（２７）が、前記接触要素から長手方向に伸びた第１脚（３０）と第２脚（３１）とを備えており、
前記第１脚（３０）と前記第２脚（３１）とが、前記第１脚（３０）と前記第２脚（３１）との間で開口部（３３）が形成されるように、外側に向けて湾曲され、且つ端部（３２）において会合されていることを特徴とする、請求項３に記載のコネクタ。
【請求項５】
前記変形可能構造（２７）は、前記開口部（１５）内で広がっている、外側に向いて伸びた２つの羽部（２８）を備えていることを特徴とする、請求項３に記載のコネクタ。
【請求項６】
前記開口部（１５）は、前記接地リード（１２）の前記接触端（Ｃ）において形成されていることを特徴とする、請求項１〜５のいずれか１項に記載のコネクタ。
【請求項７】
前記接地リード（１２）は、前記接触端（Ｃ）において拡幅部（１４）を備えていることを特徴とする、請求項６に記載のコネクタ。
【請求項８】
前記コネクタ（１０）は、絶縁ハウジングモジュール（１６）と、平坦部（２１）及び１つ以上のシールドフランジ（２２）を備えたシールド板（２０）と、を備えており、
前記シールドフランジ（２２）は、前記平坦部（２１）から伸びて、前記絶縁ハウジングモジュール（１６）の１つ以上の壁部に突接していることを特徴とする請求項１〜７のいずれか１項に記載のコネクタ。
【請求項９】
前記開口部（１５）は信号リード（１１）内に形成され、前記遠位部は、前記接触要素（５１）を通じて前記信号リード（１１）と接触している遠位導体（５０）を備えていることを特徴とする、請求項１に記載のコネクタ。
【請求項１０】
複数の積層されたコネクタ（１０）を備えたコネクタアセンブリ（２）であって、
それぞれの前記コネクタ（１０）は、略整列された一連のリード（１１，１２）を備え、該リードは、前記コネクタ（１０）の嵌合端（Ｍ）と接触端（Ｃ）との間で伸びており、
それぞれのコネクタ（１０）について、少なくとも１つの前記リード（１１，１２）が、隣接したコネクタの少なくとも１つのリード（１１，１２）に接触するために、接触要素（２３，２４，４０，５１，６０）を保持している少なくとも１つの開口部（１５，１７）の一部を形成していることを特徴とするコネクタアセンブリ。
【請求項１１】
前記開口部（１５）は、前記少なくとも１つのリード内に形成されていることを特徴とする、請求項１０に記載のコネクタアセンブリ。
【請求項１２】
前記開口部（１５）は整列されており、前記接触要素（４０）は、複数の前記整列された開口部内に挿入されていることを特徴とする、請求項１０または１１に記載のコネクタアセンブリ。
【請求項１３】
前記接触要素（４０）は、該接触要素（４０）の長手方向に変形可能構造（２７）を備えており、前記開口部（１５）は、前記接触要素上の個々の変形可能構造（２７）と係合するために、異なった大きさとされていることを特徴とする、請求項１２に記載のコネクタアセンブリ。
【請求項１４】
前記変形可能構造（２７）は、前記長手方向に沿って大きさが減少している異なる寸法を有していることを特徴とする、請求項１３に記載のコネクタアセンブリ。
【請求項１５】
前記コネクタアセンブリ（２）は、隣接したリード（１１、１２）の間に配置された複数のシールド板（２０）をさらに備え、１つ以上の前記シールド板（２０）は、前記接触要素（４０）を挿入するための１つ以上の孔を備えていることを特徴とする、請求項１０〜１４のいずれか１項に記載のコネクタアセンブリ。
【請求項１６】
前記コネクタ（１０）は積層されており、それぞれの前記コネクタ（１０）は、先端部（２５）と中間部（２６）とを備えた少なくとも１つの接触要素（６０）を含んだシールド板（６２）を備えており、
前記中間部は、前記シールド板（６２）と前記先端部（２５）との間で伸びており、
前記先端部が、接地リード（１２）の一部に係合するための変形可能構造（２７）を備えていることを特徴とする、請求項１０に記載のコネクタアセンブリ。
【請求項１７】
請求項４と同様に修正
前記変形可能構造（２７）が、前記接触要素から長手方向に伸びた第１脚（３０）と第２脚（３１）とを備えており、
前記第１脚（３０）と前記第２脚（３１）とは、前記第１脚（３０）と前記第２脚（３１）との間で開口部（３３）が形成されるように、外側に向けて湾曲され、且つ端部（３２）において会合されていることを特徴とする、請求項１６に記載のコネクタアセンブリ。
【請求項１８】
前記接触要素（６０）は、曲げ部（６５）を備えていることを特徴とする、請求項１６に記載のコネクタアセンブリ。
【請求項１９】
前記コネクタアセンブリ（２）は、ハウジング（６２）をさらに含むケーブルコネクタ（１）の一部であり、前記接触要素（６０）は、前記ハウジング（６２）に接触していることを特徴とする、請求項１６〜１８のいずれか１項に記載のコネクタアセンブリ。
【請求項２０】
前記少なくとも１つのリード（１１,１２）は、絶縁材料のボディ（１６）内にあり、前記開口部（１７）は、一方の側では前記絶縁材料によって部分的に境界付けられており、反対側では前記リード（１１,１２）によって部分的に境界付けられていることを特徴とする、請求項１に記載のコネクタ。
【発明の詳細な説明】
【技術分野】
【０００１】
本発明は、複数のリードが備えられたコネクタに関するものであり、その複数のリードは、このコネクタの嵌合端と接触端との間で伸びており、遠位部は、少なくとも１つの接触要素によって少なくとも１つの前記リードに接触している。
【背景技術】
【０００２】
特許文献１には、絶縁ハウジングと、このハウジング内の列（rows）及びコラム（columns）内に配置された複数の接触要素と、接触要素の隣接したコラムの間に配置されている少なくとも１つのシールド板と、を備えたコネクタが開示されている。このシールド板は、締結手段が設けられた構造的には別部材であり、その締結手段を用いて端子のコラムの接触要素の１つのみに取り付けられている。
【特許文献１】欧州特許出願公開第１１０７３８７号明細書
【特許文献２】国際公開第２００４／０５７７０７号パンフレット
【特許文献３】国際公開第２００４／０５７７０９号パンフレット
【発明の開示】
【発明が解決しようとする課題】
【０００３】
従来技術の欠点は、この締結要素が、コネクタの異なるインピーダンスの影響を受けることである。本発明の目的は、コネクタの異なるインピーダンスによる影響を少なくするように、遠位部との接触が可能なコネクタを提供することである。
【０００４】
この目的は、少なくとも１つの前記リードが、前記遠位部の前記接触要素を保持するための、少なくとも１つの開口部の一部を形成している特徴を持ったコネクタを適用することで達成される。好ましくは、その開口部は、少なくとも１つのリード内に形成されているのがよい。異なるインピーダンスは、信号リードの大きさと、信号リードの互いの距離と、信号リードと接地リードとの距離とで決まる。それは、その間の誘電率にも依存する。この接触要素は、好ましくはコネクタのリード間に設けられているのではなく、リード内にあるのがよいので、コネクタの異なるインピーダンスによる影響は減少する。
【０００５】
本発明による実施形態において、遠位部は、シールド板であり、このシールド板は、先端部と中間部をと備えた少なくとも１つの接触要素が含んでおり、前記中間部は、前記シールド板と前記先端部との間で伸びており、前記先端部が接地リードの一部に係合するための変形可能構造を備えている。コネクタの接地リード内にある１つ以上の開口部は、コネクタを組み立てるためのシールド板の取り付けを、簡単かつ確実な方法で行われるようにしている。好ましくは、この変形可能構造が、前記接触要素から長手方向に伸びた第１脚と第２脚とを備えており、前記第１脚と前記第２脚とは、前記第１脚と前記第２脚との間で開口部が形成されるように外側に向けて湾曲され、且つ端部（３２）において会合されているのがよい。針の穴のような圧入接続手段は、接地リードへのシールドプレートの取り付けを、確実かつ簡単にしている。あるいは、この変形可能構造には、前記開口部内で広がるように設けられた、外側に向いて伸びた２つの羽部が含まれており、接地リードとシールド板との間の接続を確実なものにしている。
【０００６】
本発明による実施形態において、この開口部は接地リードの接触端に形成されている。好ましくは、この接地リードは、前記嵌合端におけるよりも前記接触端において拡幅されているのがよく、拡幅された接地リードには、開口部のためのよりよい場所が提供され、接触端近傍では一般的に、高密度コネクタでは、リード間の距離は、嵌合端における距離よりも大きい。
【０００７】
本発明による実施形態において、このコネクタには、絶縁ハウジングモジュールと、平坦部と１つ以上のシールドフランジとが含まれたシールド板と、が備えられており、このシールドフランジは平坦部から伸びて、前記絶縁ハウジングモジュールの１つ以上の壁部に突接している。これらのシールドフランジは、部分的に絶縁ハウジングモジュールを封入し、それによって、コネクタの異なるインピーダンスが、コネクタの信号リードと接地リードとシールド板とによって確定されるだけであるということを確実にしている。
【０００８】
本発明は、複数の積層されたコネクタが含まれたコネクタアセンブリに関するものでもあり、コネクタのそれぞれの側部には、実質的に多くの整列されたリードのシリーズが含まれ、該リードは、それぞれの前記コネクタの嵌合端と接触端との間で伸びており、それぞれのコネクタの、少なくとも１つの前記リードには、隣接したコネクタの少なくとも１つのリードに接触するために前記接触要素を受容するための開口部が形成されている。それぞれの積層されたコネクタのシリーズにある少なくとも１つのリード内に、開口部が形成されていることは、いくつかの接地および／または積層構造に有利になっている。
【０００９】
１つの実施形態において、前記開口部は整列されており、前記接触要素は、複数の前記整列された開口部の中に挿入されている。これにより、例えば棒状に形成された１つの接触要素は、積層されたコネクタのシリーズの隣接したリードを交差接続するのに、使用されることが可能である。適切な接触を確実にするために、前記接触要素には、好ましくは接触要素の長手方向に変形可能構造が備えられ、前記開口部は、前記接触要素上の個々の変形可能構造と係合するための、異なる直径を備えているのがよい。完全に組み立てられたアセンブリにおいて、この変形可能構造には、好ましくは長手方向に大きさが減少している異なる寸法を有しているのがよく、これによりこの変形可能構造は、挿入方向において、対応した開口部と相互作用するように適合する。棒状の１つの接触要素が設けられることで、シールド板が備えられた積層されたコネクタの場合には、１つ以上の前記シールド板には、前記接触要素が挿入されるための１つ以上の開口部が備えられている。
【００１０】
本発明による実施形態において、前記導体は積層されており、それぞれの前記コネクタには、先端部と中間部に少なくとも１つの接触要素を含んだシールド板が備えられている。この接触要素は、先端部と中間部と含んでおり、前記中間部は、前記シールド板と前記先端部との間で伸びており、前記先端部には接地リードの一部に係合するための変形可能構造が備えられている。好ましくは、前記変形可能構造が、前記接触要素から長手方向に伸びた第１脚と第２脚とを備えており、前記第１脚と前記第２脚とは、前記第１脚と前記第２脚との間で開口部が形成されるように外側に向けて湾曲され、且つ端部（３２）において会合されているのがよい。これにより、シールド板が含まれた積層されたコネクタは、前記シールド板が圧入接続によって、接地リードに取り付けられるように提供される。
【００１１】
好ましくは、この接触要素には、曲げ部が備えられているのがよい。この接触要素の曲げ部は、互いの上にぴったりと重なるように、積層することを可能にしている。
【００１２】
本発明による実施形態において、前記コネクタアセンブリは、ケーブルコネクタの一部であり、このケーブルコネクタにはさらに、ハウジングと、前記ハウジングに接触している接触要素とが含まれている。これにより、増大されたシールド性能を有するケーブルコネクタが提供される。というのも、ケーブルコネクタ用のケーブルの編素線（braid）を、継ぎ手部（ferrule portion）のようなケーブルコネクタの他の構成部品を介して、積層されたコネクタのハウジング、ひいては接地リードに接続することができるからである。
【００１３】
本発明による好適な実施形態を概略的に示した添付図を参照して、本発明はさらに記述されているであろう。本発明は、これらの明細および好適な実施例に決して制限されないことが理解されるであろう。
【発明を実施するための最良の形態】
【００１４】
図１には高密度コネクタが表現されている。ケーブルコネクタ１と基板コネクタアセンブリ２とは、回路基板４上の構成部品（図示略）への、ケーブル３の電線（図示略）の電気的接続を形成している。このケーブルコネクタ１には、ダイカスト製のベース部分が含まれている。このダイカスト製のベース部分は、ダイカストハウジング部とシートメタルハウジング部とであり、これらは本発明内に引用することで組み込まれた特許文献２内に記述されており、そこにはこれらのハウジング部のさらなる記載がある。このケーブルコネクタ１は、パネル５に挿入されることが可能である。この基板コネクタアセンブリ２には、保持具６が含まれており、シールドケージ７で覆われていてもよい。このシールドケージは、すでに特許文献３に記載されており、本発明内に引用することで組み込まれている。
【００１５】
図２および図３は、本発明の実施形態による図１のコネクタアセンブリ２を示した図である。このコネクタアセンブリ２には、複数の直角コネクタ１０が含まれており、このそれぞれの直角コネクタは、コラム内に配置されかつ嵌合端Ｍと接触端Ｃとの間に伸びた信号リード１１と接地リード１２とが備えられている。接触端において、リードには回路基板４に接続可能とするための半田テールが形成されている。嵌合端において、これらの信号リード１１と接地リード１２とは、ケーブルコネクタ１に接触するように配置されている。保持具６には、前記コネクタ１０を保持するためのスロット１３が含まれている。
【００１６】
図４Ａ〜４Ｄは、複数のコネクタ１０のいくつかの構成部品の、いくつかの視点からの図を示しており、このコネクタは図２および図３に示されたコネクタである。
【００１７】
図４Ａは、信号リード１１と接地リード１２とを形成している、高密度直角導電リードまたはターミナルを示した図である。嵌合単におけるそれぞれの信号リード間のリード間隔ｄ１は、１．５ｍｍであり、接地リード１２とそれに隣接する信号リード１１との間のリード間隔ｄ２は１．１ｍｍである。接触端Ｃにおいて、リード間隔の要求は、厳しくなくなってくる。これにより、この接地リード１２には拡幅部１４が接触端Ｃの近傍に設けられ、そこに開口部１５が形成されている。
【００１８】
図４Ｂ〜４Ｄは、絶縁ハウジングモジュール１６内に適合されたリードアセンブリの、いくつかの視点からの図を示しており、例えばリードフレーム内挿モジュールアセンブリ（ＩＭＬＡ）のようなものである。図４Ｄにおいて、銅合金製のリード１１および１２は、明瞭にする目的のために、はっきりと描写されているが、実際のところは、それらは絶縁ハウジングモジュール１６によってほとんど隠されている。この絶縁ハウジングモジュール１６は、前記リード１１および１２を定位置に保持している。
【００１９】
絶縁ハウジングモジュール１６には、開口部１７が備えられており、この開口部は、接地リード１２とそれに隣接する信号リード１１との間の空間を提供している。さらに、絶縁ハウジングモジュールは、凹部１８を備えており、接地リード１２中の接触端Ｃの近傍における開口部１５に、完全にアクセスすることが可能である。この開口部１７と凹部１８とは、好ましくは接地リードへのアクセスが、嵌合端Ｍ及び接触端Ｃのそれぞれの近傍で提供されるような位置に配置されている。この絶縁ハウジングモジュール１６には、他の開口部または凹部が含まれている。最後にこの絶縁ハウジングモジュール１６には、図３に示しているように、保持具６の凹部またはスロット１３と協調される延出部１９が備えられている。結果として、このコネクタ１０は、保持具６によって保持されることが可能である。
【００２０】
図５Ｂ〜５Ｄは、シールド板２０の様々な視点からの図を示している。このシールド板２０には、信号の品質における外部ノイズ源の影響を減少する機能が備えられている。このシールド板２０は金属製であり、平坦部２１と、シールド板２０の側部から伸びて平坦部２１から遠ざかっているシールドフランジ２２とを含んでいる。このシールドフランジ２２は、コネクタ１０の異なったインピーダンスの制御が可能である。
【００２１】
さらに、このシールド板２０には、第１の接触要素２３と第２の接触要素２４とが備えられており、これらは前記シールドフランジ２２と同じ方向に伸びている。それぞれの接触要素２３および２４には、先端部２５と、平坦部２１と先端部２５との間に伸びている中間部２６とが含まれている。この先端部２５には、変形可能構造２７が含まれている。図５の本実施形態において、この変形可能構造２７には、羽部２８と隙間２９とが含まれている。絶縁ハウジング１６に突接したこの変形可能構造２７の欠点は、絶縁ハウジング１６に損傷を与えないための大領域にかかる力を分配するための、大きな表面を備えていることである。一方で、接地リード１２に面した変形可能構造２７の側部は、単位面積あたりの接触力を大きくするために、小さな領域を備えている。平坦部２１内の開口部は、このコネクタの電磁シールド性能のための影響を無視できることがわかる。
【００２２】
図６Ａ〜６Ｃは、本発明の実施形態によるシールド板２０を備えたコネクタ１０が、接続されている状態を表現している。前記接触要素２３および２４は、それぞれ絶縁ハウジングモジュール１６内の開口部１７と、接地リード１２の一部に結合するための接地リード１２の開口部１５とに挿入されている。この挿入の際に、締結要素２３の羽部２８は、開口部１７における絶縁ハウジングモジュール１６との相互作用及び圧入接続を形成する結果、接地リード１２の方向に接地リード１２の上側に沿って広がる。一方で、接触要素２４の羽部２８は、圧入接続を形成するために接地リード１２の長穴１５内で徐々に広がる。これにより、このシールド板２０は、コネクタ１０を形成するために、絶縁ハウジングモジュール１６に確実にかつ簡単に適合され、しかしその一方で、図４中で定義されたリードの距離ｄ２は、減少する。シールド板２０の接地リード１２への接続は、嵌合端Ｍと接触端Ｃとの近傍に設けられるので、それぞれシールドプレート２０内の逆電流は、信号リード１１内の電流と略平行になり、このことは、コネクタ１０の機能において有利になる。
【００２３】
シールドフランジ２２は、絶縁ハウジングモジュール１６の壁部に突接している。これにより、それぞれのコネクタ１０の異なったインピーダンスが、適切に制御されることが可能である。
【００２４】
図２および図３に示されたコネクタアセンブリについて、図６Ａ〜６Ｃに示したような複数のコネクタ１０は、信号リード１１と接地リード１２とがマトリクスを形成するように互いに隣接して配置され、それぞれのリードのコラムは、シールド板２０によって分離されている。
【００２５】
図７Ａ〜７Ｅは、１つのコネクタ１０のいくつかの構成要素のいくつかの視点からの状態を示した図である。コネクタ１０の同一のまたは類似の部品には、同一の符号が付されている。
【００２６】
さらに、図７Ａは，信号リード１１と接地リード１２とが含まれたリードフレームを示した図である。それに対して、図４Ａは、接地リード１２には、嵌合端Ｍと接触端Ｃとの近傍において開口部１５が現在形成されている。その開口または開口部１５は、ここでは接地リード１２の拡幅部１４にある開口部よりも、より円形に近い形状であるように示されている。絶縁ハウジングモジュール１６には、接地リード１２の開口部１５にアクセスするための、対応した開口部１７と凹部１８とが設けられている。
【００２７】
図７Ｃおよび図７Ｄ中の接触要素２３および２４には、中間部２６と先端部２７とが備えられている。この変形可能構造２７には、前記接触要素２３および２４から長手方向に伸びた第１脚３０と第２脚３１とが含まれている。この第１脚３０と第２脚３１とは、端部３２において第１脚３０と第２脚３１との間で開口部３３が形成されるように外側に向けて湾曲している。これにより、この変形可能構造２７は、針の穴のような構造として記述されている。この変形可能構造２７が、図７Ａおよび図７Ｂの開口部１５中に挿入されると、脚３０および３１には、図７Ｅに示したように、内側に向いた力がかかり、接地リード１２へのシールド板２０の圧入接続が提供される。コネクタ１０の異なるインピーダンスは、シールド板の取り付けによって、支障をきたさなくなる。それは、接続手段２３および２４は、接地リード１２とそれに隣接した信号リード１１との間にないためである。
【００２８】
図８Ａ〜８Ｄは、本発明の実施形態によるいくつかのタイプの開口部を備えたリードの配置を示した図である。
【００２９】
図８Ａにおいて、リードフレームが示されており、接地リード１２には、切り離し部が備えられており、ここには接触要素２３の先端部２５を保持するための開口部が形成されている。この切り離し部には、接地リード１２上に不規則に形成され、異なるインピーダンスに影響を与えている。接触要素２３の羽部２８は、接地リード１２の切り離し部中で、確実な接続を得るために絶縁ハウジングモジュール１６（目的を明瞭にするために図８Ａ中には示していない）に相互作用することで広がることが可能である。
【００３０】
図８Ｂにおいて、接地リード１２には、針の穴形状となった接触要素２４の先端部を保持するための、円形の開口部１５が備えられている。接地リードの境界は、無傷のまま残され、それによって異なるインピーダンスに影響を与えない。接地リード１２は、開口部１５に適合するようないくらかの広がりを持っている。例としては、図８Ｂにおいて、接地リード１２の拡幅部は、１．３ｍｍであり、その一方で図８Ｂ中の拡幅部は、０．７ｍｍである。これにより、図８Ｂ中のリードの形状は、図８Ａ中の形状よりも０．６ｍｍ広くなっている。
【００３１】
図８Ｃにおいて、開口部１５は、接地リード１２の長手方向と長辺が平行となった長方形のスロットである。楕円形のような、開口部１５の他の形状も予想される。
【００３２】
１つの用途において、すべてのリードには、開口部が形成され、または開口部１５および１７の一部が形成されている。絶縁ハウジングモジュールには５つのリードが備えられている場合、図８Ｄに示されたように、５つすべてのリードには開口部１５が備えられている。シールド板２０が接続されない場合は、５つすべてのリードは低周波信号の伝達に使用される。すなわち、すべてのリードは、信号リードとして適格となる。シールド板２０が接続される場合は、使用者は、どちらの開口部１５が接触要素２３，２４，５０を保持するのに使用されるかを、選択してもよい。これにより、例えば同軸構造または２軸構造が得られる。同軸構造のためには、接触要素は、おのおのの接地リード１２内の開口部１５に保持されており、その一方で、２軸構造のためには、中央のリード１２が接触されている。５つより多いまたは少ないリードが備えられた他の形状では、同様に想定されることが理解できる。
【００３３】
別の用途が図９に示されており、信号リード１１と接地リード１２とが備えられたコネクタアセンブリ２の正面図が実質的に表現されている。それぞれの接地リードには、開口部１５が備えられており、それは破線で示されている。このアセンブリ２に含まれたコネクタ１０の開口部１５は、１つの接触要素４０が挿入可能なように整列されている。この接触要素４０は、該接触要素の長手方向における変形可能構造２７のシリーズであり、開口部１５は、好ましくは接触要素４０に変形可能構造２７が係合されるために、異なる直径であるのがよい。この変形可能構造２７は、好ましくはその長手方向に沿った大きさにおいて、寸法の減少の度合いが異なっているのがよい。このように、コネクタ内のリード、例えば接地リードは、必要であれば共通にすることができる。
【００３４】
アセンブリ２にはさらに、隣接したコネクタの間に配置された複数のシールド板２０が備えられている。このシールド板２０にも、接触要素４０を挿入するための開口部が備えられている。
【００３５】
図１０は、本発明による実施形態を示した図であり、信号リード１１には、開口部１５が備えられ、それは破線で示されている。それは、前記開口部１５に接触要素５０が挿入されることでさらに導電体５０と接触するためのものである。これにより、電気信号を監視し、または信号リード１１から取り出す（tapped）ことができる。
【００３６】
図１１Ａ〜１１Ｅは、図１中に示されたケーブルコネクタ１とその構成部品とを示した図である。ターミナルブロック６１は積層され、それぞれには、図１１Ｂに示された電線処理櫛状部に形成された形状が備えられた、金属板６２が含まれている。この電線処理櫛状部の指部は、接地リード１２の接地のために、２軸電線のシールド編素線６３に係合されることが可能である。この電線処理櫛状部は、分離された部品または、シールド板２０の一部であってもよく、例えば、ターミナルブロック６１の後端に隣接したシールドの端部に沿って形成されてもよい。
【００３７】
この金属板６２には、ターミナルブロックコネクタに隣接した接地リード１２に係合するための、変形可能構造を備えた接触要素６０が含まれている。さらに、この接触要素は、図１１Ｂ〜１１Ｄに示したような針の穴状であってもよい。
【００３８】
図１１Ｃは、取り付けられた状態の、電線処理櫛状部の一部を示した図である。これにより、電線６４は配置され、箔６３は、接地リード１２の開口部１５内に、接触要素６０を保持することで得られる圧入接続により係合される。
【００３９】
いくつかのターミナルブロック６１が積層されるため、接触要素６０には、図１１Ｄに示したように、別の開口部６６が形成された曲げ部６５が設けられている。この接触要素６０の曲げ部６５は、図１１Ｅに示したように、互いの上にぴったりと重なるように、コネクタ１０の積層を可能にしている。この積層されたターミナルブロック６１は、ケーブルコネクタ１の一部であり、そのケーブルコネクタ１には、さらにハウジング６７と、前記ハウジングに接触している前記接触要素６０とが含まれている。それにより、この接触要素６０は、改良された積層構造と、電磁シールド特性とを提供している。
【００４０】
上述のこのコネクタの実施形態は、発明の範囲を限定するものではなく、接触要素２３および２４の先端部における、他の変形可能構造２７のような、さらなる改良が可能であることが理解されるであろう。この接触要素は、様々なリード１１および１２の電気的接続にも使用可能である。リードを連結するのは電力の分配（power distribution）のためである。電力の分配においては、コネクタが差し込まれた通電状態において、１つのリードにアークを発生させて犠牲にするためであり、または、いくつかのビーム（beams）が、電力を受け持つリード素材の必要量を均等に配分するために使用される場合である。リードを連結する別のアプリケーションは、高周波と、異なる信号の分配とであってもよく、このリードは、逆電流の接地のために専念している。高周波アプリケーションの場合、接触要素のために形成されたシールド板内のこの開口部は、好ましくは信号リードの領域において開口部を最小化するため、およびその混信を最小化するために、接地リードに配置されるのがよい。
【図面の簡単な説明】
【００４１】
【図１】本発明の実施形態によるコネクタシステムを示した図である。
【図２】本発明の実施形態によるコネクタシステムを示した図である。
【図３】図２のコネクタにおける、本発明の実施形態による保持具と複数のコネクタとが分離された状態を示した図である。
【図４Ａ】シールド板を備えていない図３に示した複数のコネクタのうち、１つのコネクタのいくつかの構成部品のいくつかの視点からの状態を示した図である。
【図４Ｂ】シールド板を備えていない図３に示した複数のコネクタのうち、１つのコネクタのいくつかの構成部品のいくつかの視点からの状態を示した図である。
【図４Ｃ】シールド板を備えていない図３に示した複数のコネクタのうち、１つのコネクタのいくつかの構成部品のいくつかの視点からの状態を示した図である。
【図４Ｄ】シールド板を備えていない図３に示した複数のコネクタのうち、１つのコネクタのいくつかの構成部品のいくつかの視点からの状態を示した図である。
【図５Ａ】図４Ａ〜４Ｄのコネクタのためのシールド板をいくつかの視点からの状態を示した図である。
【図５Ｂ】図４Ａ〜４Ｄのコネクタのためのシールド板をいくつかの視点からの状態を示した図である。
【図５Ｃ】図４Ａ〜４Ｄのコネクタのためのシールド板をいくつかの視点からの状態を示した図である。
【図５Ｄ】図４Ａ〜４Ｄのコネクタのためのシールド板をいくつかの視点からの状態を示した図である。
【図６Ａ】本発明の実施形態により組み立てられたコネクタの、いくつかの視点からの状態を示した図である。
【図６Ｂ】本発明の実施形態により組み立てられたコネクタの、いくつかの視点からの状態を示した図である。
【図６Ｃ】本発明の実施形態により組み立てられたコネクタの、いくつかの視点からの状態を示した図である。
【図７Ａ】１つのコネクタのいくつかの構成要素をいくつかの視点からの状態を示した図である。
【図７Ｂ】１つのコネクタのいくつかの構成要素をいくつかの視点からの状態を示した図である。
【図７Ｃ】１つのコネクタのいくつかの構成要素をいくつかの視点からの状態を示した図である。
【図７Ｄ】１つのコネクタのいくつかの構成要素をいくつかの視点からの状態を示した図である。
【図７Ｅ】１つのコネクタのいくつかの構成要素のいくつかの視点からの状態を示した図である。
【図８Ａ】本発明の実施形態によるいくつかのタイプの開口部を備えたリードの配置を示した図である。
【図８Ｂ】本発明の実施形態によるいくつかのタイプの開口部を備えたリードの配置を示した図である。
【図８Ｃ】本発明の実施形態によるいくつかのタイプの開口部を備えたリードの配置を示した図である。
【図８Ｄ】本発明の実施形態によるいくつかのタイプの開口部を備えたリードの配置を示した図である。
【図９】本発明の実施形態によるコネクタアセンブリを示した図である。
【図１０】本発明の実施形態によるコネクタを示した図である。
【図１１Ａ】本発明の実施形態によるコネクタアセンブリが含まれたケーブルコネクタを示した図である。
【図１１Ｂ】そのケーブルコネクタの部分拡大図を示した図である。
【図１１Ｃ】そのケーブルコネクタの部分拡大図を示した図である。
【図１１Ｄ】そのケーブルコネクタの部分拡大図を示した図である。
【図１１Ｅ】そのケーブルコネクタの部分拡大図を示した図である。
【符号の説明】
【００４２】
１  ケーブルコネクタ
２  基板コネクタ
３  ケーブル
４  回路基板
５  パネル
６  保持具
７  シールドケージ
１０  コネクタ
１１  信号リード
１２  接地リード
１４  拡幅部
１５  開口部
１６  絶縁ハウジングモジュール
１７  開口部
１８  凹部
１９  延出部
２０  遠位部（シールド板）
２１  平坦部
２２  シールドフランジ
２３，２４  接触要素
２５  先端部
２６  中間部
２７  変形可能構造
２８  羽部
３０  第１脚
３１  第２脚
３２  端部
３３  開口部
４０  接触要素
５０  遠位部（遠位導体）
５１  接触要素
６０  接触要素
６１  ターミナルブロック
６２  遠位部（シールド板）
６３  シールド編素線
６４  電線
６５  曲げ部
６６  開口部
【図１】
2008513936.tif 000003
【図２】
2008513936.tif 000004
【図３】
2008513936.tif 000005
【図４Ａ】
2008513936.tif 000006
【図４Ｂ】
2008513936.tif 000007
【図４Ｃ】
2008513936.tif 000008
【図４Ｄ】
2008513936.tif 000009
【図５Ａ】
2008513936.tif 000010
【図５Ｂ】
2008513936.tif 000011
【図５Ｃ】
2008513936.tif 000012
【図５Ｄ】
2008513936.tif 000013
【図６Ａ】
2008513936.tif 000014
【図６Ｂ】
2008513936.tif 000015
【図６Ｃ】
2008513936.tif 000016
【図７Ａ】
2008513936.tif 000017
【図７Ｂ】
2008513936.tif 000018
【図７Ｃ】
2008513936.tif 000019
【図７Ｄ】
2008513936.tif 000020
【図７Ｅ】
2008513936.tif 000021
【図８Ａ】
2008513936.tif 000022
【図８Ｂ】
2008513936.tif 000023
【図８Ｃ】
2008513936.tif 000024
【図８Ｄ】
2008513936.tif 000025
【図９】
2008513936.tif 000026
【図１０】
2008513936.tif 000027
【図１１Ａ】
2008513936.tif 000028
【図１１Ｂ】
2008513936.tif 000029
【図１１Ｃ】
2008513936.tif 000030
【図１１Ｄ】
2008513936.tif 000031
【図１１Ｅ】
2008513936.tif 000032
【国際調査報告】
2008513936.tif 000033
2008513936.tif 000034